(57)【要約】【課題】誘電体の影響を低減しながらも、認識可能なＩＤの数を増やす。【解決手段】グランドパターン４０と、ベース基材１０を介してグランドパターン４０と対向して設けられ、グランドパターン４０と対向することで共振ピークが発現する複数のアンテナ１１〜２２とを有し、グランドパターン４０が平面視にてアンテナ１１〜２２を覆う形状である構成において、複数のアンテナ１１〜２２のそれぞれは、アンテナ１１〜２２の２つの端部間の中間点からその２つの端部に向かい、Ｘ方向およびＹ方向のベクトル成分の大きさが互いに異なる２つの成分からなり、複数のアンテナ１１〜２２どうしにおいて２つの成分の長さが互いに異なる。【選択図】図３
2019061516.tif 000002
【特許請求の範囲】
【請求項１】
導電層と、絶縁層を介して前記導電層と対向して設けられ、前記導電層と対向することで共振ピークが発現する複数のアンテナとを有し、前記導電層が平面視にて前記アンテナを覆う形状である識別体であって、
前記複数のアンテナのそれぞれは、当該アンテナの２つの端部間の中間点から前記２つの端部に向かい、Ｘ方向およびＹ方向のベクトル成分の大きさが互いに異なる２つの成分からなり、前記複数のアンテナどうしにおいて、前記２つの成分の長さが互いに異なる、識別体。
【請求項２】
請求項１に記載の識別体において、
前記絶縁層および前記複数のアンテナは、前記導電層の表裏にそれぞれ設けられている、識別体。
【請求項３】
請求項１または請求項２に記載の識別体において、
前記アンテナは、前記導電層に対向しない状態におけるＱ値が３０以下である、識別体。
【請求項４】
請求項１乃至３のいずれか１項に記載の識別体において、
前記アンテナの前記絶縁層とは反対側に、平面視にて前記アンテナを覆うように保護層が配置されている、識別体。
【請求項５】
請求項４に記載の識別体において、
前記保護層の前記アンテナとは反対側の面側に、前記アンテナを覆って印刷受理層および印刷層がこの順で配置されている、識別体。
【発明の詳細な説明】
【技術分野】
【０００１】
本発明は、アンテナを用いて識別情報を認識可能とする識別体に関する。
【背景技術】
【０００２】
昨今、情報化社会の進展に伴って、商品等に貼付されるラベルやタグに情報を記録し、このラベルやタグを用いて商品等の管理が行われている。このようなラベルやタグを用いた情報管理においては、ラベルやタグに対して非接触状態にて情報の書き込みや読み出しを行うことが可能なＩＣチップが搭載された非接触型ＩＣラベルや非接触型ＩＣタグ等のＲＦＩＤ技術を利用した識別体がその優れた利便性から急速な普及が進みつつある。
【０００３】
このようなＲＦＩＤ技術を利用した識別体としては、上述したようにＩＣチップが搭載されたものに限らず、共振ピークの周波数が互いに異なる複数のアンテナを有し、ＩＣチップを用いずに複数のアンテナの組み合わせでＩＤを認識できるようにしたものも考えられている。例えば、複数のアンテナを構成する誘電子要素とコンデンサ要素の形状を異ならせたり、複数のアンテナの形状や向きを異ならせたりして共振周波数を複数のアンテナ毎に異ならせ、そのアンテナの組み合わせでＩＤを表現可能とする技術が、特許文献１，２に開示されている。この技術を用いれば、アンテナの数をＮ個とした場合、１つのアンテナの有無によって“１”，“０”の２つの情報を持たせることができ、また、全てのアンテナが無い場合を除いて、（２N−１）個のＩＤを認識可能に表現することができる。
【先行技術文献】
【特許文献】
【０００４】
【特許文献１】特公平７−８０３８６号公報
【特許文献２】特表２００８−５０３７５９号公報
【発明の概要】
【発明が解決しようとする課題】
【０００５】
ところで、上述したような共振ピークを利用した識別体は、識別体を用いて管理される商品等に貼付される等、誘電体に接触した状態で使用される場合が多い。その場合、誘電体の影響で識別体の周波数特性が変化し、共振ピークが緩やかなものとなって検出されなくなったり、共振ピークの周波数が大きくシフトしたりして、識別情報となるＩＤを正しく認識することができなくなってしまう虞がある。
【０００６】
図１１は、共振ピークを利用した識別体が誘電体から受ける影響を説明するための図である。
【０００７】
例えば、上述したＲＦＩＤ技術を用いてカードを作製した場合、ＪＩＳ規格に従えばその厚さは７６０μｍとなり、厚み全ての誘電損や、カード基材によるベースラインの増加が影響し、図１１中破線で示すようにＱ値が８０のアンテナであっても、カード化した場合は、図１１中実線で示すようにＱ値が４０程度となり、共振周波数にて発現する共振ピークが鈍ってしまう。その結果、７〜１０ＧＨｚのＵＷＢ（ウルトラワイドバンド）帯ではＩＤの数が１０ビット程度となる等、非常に少なくなってしまうという問題点がある。また、背面の影響を受けやすいため、手持ちで扱うことになるカードでは、手の影響が大きく共振ピークを検出することが難しいという問題点がある。なお、Ｑ値とは、共振ピークでの周波数をω0とし、その共振ピークよりも低周波側にて振動エネルギーが共振ピークの半値となる周波数をω1とし、共振ピークよりも高周波側にて振動エネルギーが共振ピークの半値となる周波数をω2とした場合、Ｑ＝ω0／（ω2−ω1）で表される値である。
【０００８】
ここで、本願出願人は、絶縁層を介してアンテナに対向してグランドパターンを設け、それにより、誘電体の影響を低減する技術を考え出した。この技術によれば、上述したような共振ピークを用いてカードを作製した場合や手持ちで扱った場合でも、誘電体の影響が低減されることにより、共振ピークが検出しにくくなることを回避できるようになる。ところで、この技術においては、その反射特性が、グランドパターンの反射量からアンテナの吸収を差し引いたものとなる。そのため、ＩＤの数を多くした場合、アンテナの数と共にグランドパターンが増加し、それにより、グランドパターンの反射量が大きくなり、共振ピークの深さが減少することになる。
【０００９】
図１２は、グランドパターンを有する識別体がＩＤの数に応じて受ける影響を説明するための図であり、（ａ）はＩＤが２ビットである場合の共振周波数の特性を示す図、（ｂ）はＩＤが１０ビットである場合の共振周波数の特性を示す図である。
【００１０】
グランドパターンを有する識別体においてＩＤの数を２ビットとした場合、図１２（ａ）に示すように共振ピークの深さが９ｄＢとなる一方、同様の構成で、ＩＤの数を１０ビットとした場合は、図１２（ｂ）に示すように共振ピークの深さが１．５ｄＢとなってしまう。そのため、絶縁層を介してアンテナに対向してグランドパターンを設けた構成においても、上記同様に、原理的にＩＤの数を増やしにくい場合がある。
【００１１】
本発明は、誘電体の影響を低減しながらも、認識可能なＩＤの数を増やすことができる識別体を提供することを目的とする。
【課題を解決するための手段】
【００１２】
上記目的を達成するために本発明は、
導電層と、絶縁層を介して前記導電層と対向して設けられ、前記導電層と対向することで共振ピークが発現する複数のアンテナとを有し、前記導電層が平面視にて前記アンテナを覆う形状である識別体であって、
前記複数のアンテナのそれぞれは、当該アンテナの２つの端部間の中間点から前記２つの端部に向かい、Ｘ方向およびＹ方向のベクトル成分の大きさが互いに異なる２つの成分からなり、前記複数のアンテナどうしにおいて、前記２つの成分の長さが互いに異なる。
【００１３】
上記のように構成された本発明においては、複数のアンテナが、絶縁層を介して導電層と対向していることで共振ピークが発現し、この共振ピークが検出されることでＩＤが認識されることになる。その際、アンテナに絶縁層を介して導電層が対向していることで、識別体に照射された電波は導電層においても反射することになるが、複数のアンテナのそれぞれが、アンテナの２つの端部間の中間点から２つの端部に向かい、Ｘ方向およびＹ方向のベクトル成分の大きさが互いに異なる２つの成分からなるため、アンテナの２つの成分のうち一方の成分と偏波方向が同じ電波を照射すると、アンテナにおいては、それに対する反射波が２つの成分からそれぞれ反射することになる。一方、アンテナに対向した導電層においては、識別体に照射された電波と同じ偏波方向の反射波が反射することになる。そのため、アンテナの２つの成分のうち他方の成分と同じ偏波方向で反射波を受信すれば、アンテナによる反射波のみを受信することができ、それにより、反射波による共振ピークを確実に検出することができる。その際、複数のアンテナどうしにおいて２つの成分の長さが互いに異なるため、複数のアンテナ毎に共振ピークが検出される周波数が異なることとなり、その周波数にて共振ピークが検出されるかどうかによって多くのＩＤを認識可能な構成とすることができる。
【００１４】
また、絶縁層および複数のアンテナが、導電層の表裏にそれぞれ設けられていれば、導電層による影響を受けることなく、表裏のいずれからもＩＤを識別することができる。
【００１５】
上記のようなアンテナとしては、導電層に対向しない状態におけるＱ値が３０以下であれば、導電層に対向することで、Ｑ値が３０以上となる鋭い共振ピークを発現させることができる。
【００１６】
また、アンテナの絶縁層とは反対側に、平面視にてアンテナを覆うように保護層が配置されていれば、保護層によってアンテナを外部から加わる衝撃等から保護することができる。
【００１７】
また、保護層のアンテナとは反対側の面側に、アンテナを覆って印刷受理層および印刷層がこの順で配置されることで、表面に情報が表示されたカードとして利用することができる。
【発明の効果】
【００１８】
本発明によれば、複数のアンテナのそれぞれが、アンテナの２つの端部間の中間点から２つの端部に向かい、Ｘ方向およびＹ方向のベクトル成分の大きさが互いに異なる２つの成分からなるため、アンテナの２つの成分のうち一方の成分と偏波方向が同じ電波を照射し、アンテナの２つの成分のうち他方の成分と同じ偏波方向で反射波を受信すれば、アンテナによる反射波のみを受信することができ、それにより、誘電体の影響を低減しながらも反射波による共振ピークを確実に検出することができる。その際、複数のアンテナどうしにおいて２つの成分の長さが互いに異なるため、複数のアンテナ毎に共振ピークが検出される周波数が異なることとなり、その周波数にて共振ピークが検出されるかどうかによって、認識可能なＩＤの数を増やすことができる。
【００１９】
また、絶縁層および複数のアンテナが、導電層の表裏にそれぞれ設けられているものにおいては、導電層による影響を受けることなく、表裏のいずれからもＩＤを識別することができる。
【００２０】
また、アンテナの絶縁層とは反対側に、平面視にてアンテナを覆うように保護層が配置されているものにおいては、保護層によってアンテナを外部から加わる衝撃等から保護することができる。
【００２１】
また、保護層のアンテナとは反対側の面側に、アンテナを覆って印刷受理層および印刷層がこの順で配置されているものにおいては、表面に情報が表示されたカードとして利用することができる。
【図面の簡単な説明】
【００２２】
【図１】本発明の識別体の基本的な構成の一例を示す図であり、（ａ）は表面図、（ｂ）は（ａ）に示したＡ−Ａ’断面図、（ｃ）はベース基材上の構成を示す図である。
【図２】図１に示したＩＤタグに対してアンテナを構成する２つのアンテナ成分のうち一方のアンテナ成分と偏波方向が同じ電波を照射し、他方のアンテナ成分と同じ偏波方向で反射波を受信した場合の周波数特性を示す図である。
【図３】本発明の識別体の第１の実施の形態を示す図であり、（ａ）は表面図、（ｂ）は（ａ）に示したＡ−Ａ’断面図、（ｃ）はベース基材の保護層との積層面の構成を示す図である。
【図４】図３に示したＩＤタグの製造方法を説明するための断面図である。
【図５】図３に示したＩＤタグの周波数特性を説明するための図である。
【図６】本発明の識別体の第２の実施の形態を示す図であり、（ａ）は表面図、（ｂ）は（ａ）に示したＡ−Ａ’断面図、（ｃ）はベース基材の保護層との積層面の構成を示す図である。
【図７】本発明の識別体の第３の実施の形態を示す図であり、（ａ）は表面図、（ｂ）は（ａ）に示したＡ−Ａ’断面図、（ｃ）はベース基材の保護層との積層面の構成を示す図である。
【図８】本発明の識別体の第４の実施の形態を示す図であり、（ａ）は表面図、（ｂ）は（ａ）に示したＡ−Ａ’断面図、（ｃ）は（ａ）に示したＢ−Ｂ’断面図、（ｄ）は裏面図である。
【図９】図８に示したＩＤタグにおけるベース基材の保護層との積層面の構成を示す図である。
【図１０】本発明の識別体に適用可能なアンテナの他の形状を示す図である。
【図１１】共振ピークを利用した識別体が誘電体から受ける影響を説明するための図である。
【図１２】グランドパターンを有する識別体がＩＤの数に応じて受ける影響を説明するための図であり、（ａ）はＩＤが２ビットである場合の共振周波数の特性を示す図、（ｂ）はＩＤが１０ビットである場合の共振周波数の特性を示す図である。
【発明を実施するための形態】
【００２３】
以下に、本発明の実施の形態について図面を参照して説明する。
【００２４】
図１は、本発明の識別体の基本的な構成の一例を示す図であり、（ａ）は表面図、（ｂ）は（ａ）に示したＡ−Ａ’断面図、（ｃ）はベース基材１０上の構成を示す図である。
【００２５】
本発明の識別体は、例えば図１に示すように、ベース基材１０の両面が保護層３０ａ，３０ｂによって覆われてなるＩＤタグ１として構成される。
【００２６】
ベース基材１０は、本願発明における絶縁層となるものであって、２００〜３００μｍ程度の厚みを有する絶縁性材料からなる。絶縁性材料としては、ＰＥＴ等の樹脂フィルム等が考えられるが、誘電正接が小さなものが好ましい。
【００２７】
ベース基材１０の保護層３０ａとの積層面には、アンテナ１１が積層されている。アンテナ１１は、例えば１８μｍ程度の厚さを有し、アンテナ１１の２つの端部１１ｄ，１１ｅ間の中間点１１ｃから端部１１ｄ，１１ｅにそれぞれ向かう直線状の２つのアンテナ成分１１ａ，１１ｂからなり、２つのアンテナ成分１１ａ，１１ｂが中間点１１ｃにて互いに直交して構成されている。それにより、２つのアンテナ成分１１ａ，１１ｂは、Ｘ方向およびＹ方向のベクトル成分の大きさが互いに異なるものとなっている。アンテナ成分１１ａ，１１ｂの長さは、後述するグランドパターン４０に対向した場合に共振ピークが発現するようなものとなっている。そして、このアンテナ１１を覆ってベース基材１０の一方の面の全面に保護層３０ａが積層されている。保護層３０ａは、例えば１００μｍの厚さのＰＥＴ等の絶縁性材料からなり、ベース基材１０の一方の面の全面に積層されている。この保護層３０ａによって、アンテナ１１が摩擦等から保護されることになる。
【００２８】
ベース基材１０の保護層３０ｂとの積層面には、その全面に導電層となるグランドパターン４０が積層されている。グランドパターン４０は、アンテナ１１と同様に、例えば１８μｍ程度の厚さを有し、ベース基材１０の他方の面の全面に積層されることで、平面視にてアンテナ１１を覆う形状となっている。そして、このグランドパターン４０を覆ってベース基材１０の他方の面の全面に保護層３０ｂが積層されている。保護層３０ｂは、保護層３０ａと同様に、例えば、１００μｍの厚さのＰＥＴ等からなり、ベース基材１０の他方の面の全面に積層されている。この保護層３０ｂによって、グランドパターン４０が摩擦等から保護されることになる。なお、アンテナ１１およびグランドパターン４０の厚さは、３μｍ程度であればよい。
【００２９】
以下に、上記のように構成されたＩＤタグ１の利用方法について説明する。
【００３０】
図１に示したＩＤタグ１においては、アンテナ１１がベース基材１０を介してグランドパターン４０と対向していることで共振ピークが発現し、この共振ピークが検出されることでＩＤが認識されることになる。その際、アンテナ１１にグランドパターン４０が対向していることで、ＩＤタグ１に照射された電波はグランドパターン４０においても反射することになる。
【００３１】
ここで、図１に示したＩＤタグ１は、アンテナ１１が、アンテナ１１の２つの端部１１ｄ，１１ｅ間の中間点１１ｃから端部１１ｄ，１１ｅにそれぞれ向かう直線状の２つのアンテナ成分１１ａ，１１ｂからなり、２つのアンテナ成分１１ａ，１１ｂが中間点１１ｃにて互いに直交して構成されている。そのため、アンテナ１１の２つのアンテナ成分１１ａ，１１ｂのうち一方と偏波方向が同じ電波を照射すると、アンテナ１１においては、それに対する反射波が２つのアンテナ成分１１ａ，１１ｂからそれぞれ反射することになる。一方、アンテナ１１に対向したグランドパターン４０においては、ＩＤタグ１に照射された電波と同じ偏波方向の反射波が反射することになる。
【００３２】
そこで、例えば、アンテナ成分１１ａと偏波方向が同じ電波を照射し、アンテナ成分１１ｂと同じ偏波方向で反射波を受信することで、アンテナ１１による反射波のみを受信することができ、それにより、反射波による共振ピークを確実に検出することができる。
【００３３】
図２は、図１に示したＩＤタグ１に対してアンテナ１１を構成する２つのアンテナ成分１１ａ，１１ｂのうち一方のアンテナ成分１１ａと偏波方向が同じ電波を照射し、他方のアンテナ成分１１ｂと同じ偏波方向で反射波を受信した場合の周波数特性を示す図である。
【００３４】
図１に示したＩＤタグ１に対して、アンテナ１１を構成する２つのアンテナ成分１１ａ，１１ｂのうち一方のアンテナ成分１１ａと偏波方向が同じ電波を照射し、他方のアンテナ成分１１ｂと同じ偏波方向で反射波を受信した場合は、図２に示すように、アンテナ１１が保護層３０ａで覆われているものの、Ｑ値が１２０程度となる。それにより、共振ピークを利用した従来の識別体よりも多くのＩＤ数を得ることができる。また、グランドパターンを有する構成であっても、グランドパターンからの反射波がほとんど受信されないため、ＩＤの数を増やしたことでグランドパターンの面積が増加した場合でも、共振ピークが弱化する問題がなくなる。
【００３５】
なお、上述したように、アンテナ成分１１ａと偏波方向が同じ電波を照射し、アンテナ成分１１ｂと同じ偏波方向で反射波を受信することで、アンテナ１１による反射波のみを受信することができるためには、電界が主成分である高周波帯が好ましく、ＵＨＦ帯以上の周波数を有する電波を使用することが好ましい。
【００３６】
以下に、上述したＩＤタグ１を利用して複数の個別ＩＤからなるＩＤを識別可能とする識別体についていくつかの実施の形態を例に挙げて説明する。
【００３７】
（第１の実施の形態）
図３は、本発明の識別体の第１の実施の形態を示す図であり、（ａ）は表面図、（ｂ）は（ａ）に示したＡ−Ａ’断面図、（ｃ）はベース基材１０の保護層３０ａとの積層面の構成を示す図である。
【００３８】
本形態における識別体は図３に示すように、図１に示したＩＤタグ１に対してベース基材１０の保護層３０ａとの積層面に１２個のアンテナ１１〜２２が設けられている点が異なるＩＤタグ１０１である。
【００３９】
本形態のＩＤタグ１０１におけるベース基材１０、保護層３０ａ，３０ｂおよびグランドパターン４０はそれぞれ、図１に示したＩＤタグ１におけるものと同様のものである。本形態のＩＤタグ１０１におけるアンテナ１１〜２２はそれぞれ、図１に示したＩＤタグ１におけるアンテナ１１と同様に、アンテナ１１〜２２の２つの端部間の中間点から端部にそれぞれ向かう直線状の２つのアンテナ成分からなり、２つのアンテナ成分が中間点にて互いに直交して構成されている。それにより、アンテナ１１〜２２をそれぞれ構成する２つのアンテナ成分は、Ｘ方向およびＹ方向のベクトル成分の大きさが互いに異なるものとなっている。
【００４０】
さらに、本形態のＩＤタグ１０１におけるアンテナ１１〜２２は、アンテナ１１〜２２を構成する２つのアンテナ成分の長さが、アンテナ１１〜２２どうしで互いに異なっており、それにより、グランドパターン４０に対向した場合に共振ピークが発現する共振周波数がアンテナ１１〜２２どうしで互いに異なるものとなっている。なお、図３においては、アンテナ１１〜２２が見にくくならないために、アンテナ１１〜２２を構成する２つのアンテナ成分の長さをアンテナ１１〜２２どうしで同じとしている。
【００４１】
以下に、上記のように構成されたＩＤタグ１０１の製造方法について説明する。
【００４２】
図４は、図３に示したＩＤタグ１０１の製造方法を説明するための断面図である。
【００４３】
図３に示したＩＤタグ１０１を製造する場合は、まず、ベース基材１０の一方の面の全面に、例えば銀インクを用いたスクリーン印刷によってグランドパターン４０を積層し（図４（ａ））、また、ベース基材１０の他方の面に、例えば銀インクを用いたスクリーン印刷によってアンテナ１１〜２２を積層する（図４（ｂ））。これらグランドパターン４０とアンテナ１１〜２２とは、その積層順序は問わず、同時に積層されてもよい。なお、グランドパターン４０とアンテナ１１〜２２は、例えば銀インクを用いたスクリーン印刷による塗布法に限らず、銅やアルミからなる導電性材料を積層することで構成してもよく、エッチングによってアンテナ１１〜２２を形成してもよい。また、グランドパターン４０は、ベース基材１０の一方の面の全面に積層されたものに限らず、ベース基材１０の一方の面において、アンテナ１１〜２２にそれぞれ対向し、平面視にてアンテナ１１〜２２を覆う形状に個別となるように分割された構成としてもよい。アンテナ１１〜２２およびグランドパターン４０は、エッチングや固定印刷によって積層されることで、３μｍ程度の膜厚を確保することができる。アンテナ１１〜２２およびグランドパターン４０の厚さが薄い場合、その抵抗値が高くなることで、後述する共振ピークを得ることができなくなってしまうが、アンテナ１１〜２２およびグランドパターン４０を、エッチングや固定印刷によって積層することで、３μｍ程度の膜厚を確保することができ、それにより、共振ピークを得ることができるようになる。
【００４４】
ベース基材１０の表裏にアンテナ１１〜２２およびグランドパターン４０を積層した後に焼成処理を行い、その後、ベース基材１０の表裏にアンテナ１１〜２２およびグランドパターン４０を覆って、例えば１００μｍの厚さのＰＥＴ等の絶縁性材料を塗布する塗布法やラミネートによる熱圧着によって、保護層３０ａ，３０ｂを積層し、図３に示したＩＤタグ１０１を完成させる（図４（ｃ））。
【００４５】
以下に、上記のように製造されたＩＤタグ１０１の作用について説明する。
【００４６】
まず、アンテナ１１〜２２がグランドパターン４０と対向することで共振ピークが発現することについて説明する。
【００４７】
Ｑ値が３０を超える鋭い共振ピークを有するアンテナにおいては、グランドパターン４０と対向した場合、共振ピークが発現しなくなる。一方、Ｑ値が３０以下である緩やかな共振ピークを有するアンテナにおいては、グランドパターン４０と対向した場合、Ｑ値が３０以上となる鋭い共振ピークが発現するようになる。このように、グランドパターン４０に対向した場合に共振ピークが発現するためには、Ｑ値が３０以下であるか、あるいは、アンテナ単体では共振ピークが発現しないものである必要がある。
【００４８】
そのため、図３に示したアンテナ１１〜２２においても、アンテナ１１〜２２単体、すなわち、グランドパターン４０に対向しない状態におけるＱ値が３０以下であることにより、グランドパターン４０と対向することで、Ｑ値が３０以上の鋭い共振ピークが発現することになる。
【００４９】
また、ベース基材１０を介してアンテナ１１〜２２にグランドパターン４０が対向して設けられていることで、ベース基材１０のアンテナ１１〜２２とは反対側の面を手に持って使用する等、ベース基材１０のアンテナ１１〜２２とは反対側の面に誘電体が接触している場合でも、グランドパターン４０によって誘電体の影響が及ばなくなり、アンテナ１１〜２２による共振ピークが検出されることになる。
【００５０】
次に、アンテナ１１〜２２がグランドパターン４０と対向することで発現する共振ピークについて説明する。
【００５１】
図５は、図３に示したＩＤタグ１０１の周波数特性を説明するための図である。
【００５２】
上述したように、ベース基材１０に積層されたアンテナ１１〜２２は、アンテナ１１〜２２を構成する２つのアンテナ成分の長さが、アンテナ１１〜２２どうしで互いに異なっていることで、グランドパターン４０に対向した場合に共振ピークが発現する共振周波数がアンテナ１１〜２２どうしで互いに異なるものとなっている。例えば、アンテナ１１の共振周波数が最も低く、次いで、アンテナ１２、アンテナ１３、アンテナ１４、アンテナ１５、アンテナ１６、アンテナ１７、アンテナ１８、アンテナ１９、アンテナ２０、アンテナ２１の順で共振周波数が高くなり、アンテナ２２の共振周波数が最も高いものとする。すると、ＩＤタグ１０１に対して電波を照射してその反射波を受信すると、図５中破線で示すように、その反射波において、Ａ点にてアンテナ１１による共振ピークが発現し、Ｂ点にてアンテナ１２による共振ピークが発現し、Ｃ点にてアンテナ１３による共振ピークが発現し、Ｄ点にてアンテナ１４による共振ピークが発現し、Ｅ点にてアンテナ１５による共振ピークが発現し、Ｆ点にてアンテナ１６による共振ピークが発現し、Ｇ点にてアンテナ１７による共振ピークが発現し、Ｈ点にてアンテナ１８による共振ピークが発現し、Ｉ点にてアンテナ１９による共振ピークが発現し、Ｊ点にてアンテナ２０による共振ピークが発現し、Ｋ点にてアンテナ２１による共振ピークが発現し、Ｌ点にてアンテナ２２による共振ピークが発現する。そのため、Ａ点〜Ｌ点のそれぞれにおいて、共振ピークが検出された場合の個別ＩＤを“１”とし、共振ピークが検出されなかった場合の個別ＩＤを“０”とし、これらを共振周波数が低い順に並べることで、ＩＤ“１１１１１１１１１１１１”が識別されることになる。
【００５３】
その際、図１に示したＩＤタグ１と同様に、アンテナ１１〜２２のそれぞれが、アンテナ１１〜２２の２つの端部間の中間点から２つの端部にそれぞれ向かう直線状の２つのアンテナ成分からなり、２つのアンテナ成分が中間点にて互いに直交して構成されているため、アンテナ１１〜２２を構成する２つのアンテナ成分のうち一方と偏波方向が同じ電波を照射し、他方のアンテナ成分と同じ偏波方向で反射波を受信することで、グランドパターン４０の影響を受けずにアンテナ１１〜２２による反射波のみを受信することができ、それにより、反射波による共振ピークを確実に検出することができる。そして、本形態によるＩＤタグ１０１においては、複数のアンテナ１１〜２２どうしにおいて２つのアンテナ成分の長さが互いに異なるため、複数のアンテナ１１〜２２毎に共振ピークが検出される周波数が異なることとなり、その周波数にて共振ピークが検出されるかどうかによって、認識可能なＩＤの数を増やすことができる。本形態によるＩＤタグ１０１は、ＩＣチップを搭載したものに対して情報の書き込みを行うことができないものの、廉価な構成で最低でも２０ビット程度のＩＤを識別可能とすることができる。
【００５４】
（第２の実施の形態）
図６は、本発明の識別体の第２の実施の形態を示す図であり、（ａ）は表面図、（ｂ）は（ａ）に示したＡ−Ａ’断面図、（ｃ）はベース基材１０の保護層３０ａとの積層面の構成を示す図である。
【００５５】
本形態における識別体は図６に示すように、図３に示したＩＤタグ１０１においてベース基材１０上に設けられたアンテナ１１〜２２のうちアンテナ１１〜１３，２０〜２２が設けられていないＩＤタグ２０１である。
【００５６】
上記のように構成されたＩＤタグ２０１に対して電波を照射してその反射波を受信すると、図５中実線で示すように、その反射波において、Ｄ点にてアンテナ１４による共振ピークが発現し、Ｅ点にてアンテナ１５による共振ピークが発現し、Ｆ点にてアンテナ１６による共振ピークが発現し、Ｇ点にてアンテナ１７による共振ピークが発現し、Ｈ点にてアンテナ１８による共振ピークが発現し、Ｉ点にてアンテナ１９による共振ピークが発現し、Ａ点〜Ｃ点およびＪ点〜Ｌ点においては、アンテナ１１〜１３，２０〜２２が設けられていないことから共振ピークが発生しない。そのため、Ａ点〜Ｌ点のそれぞれにおいて、共振ピークが検出された場合の個別ＩＤを“１”とし、共振ピークが検出されなかった場合の個別ＩＤを“０”とし、これらを共振周波数が低い順に並べることで、ＩＤ“０００１１１１１１０００”が識別されることになる。
【００５７】
このように、ベース基材１０上に、ＩＤタグ１，１０１に付与されたＩＤに応じて選択的にアンテナを設けることで、ＩＤタグ１，１０１どうしで異なるＩＤを識別可能とすることができる。
【００５８】
なお、本形態においては、アンテナ１１〜１３，２０〜２２を設けないことで、アンテナ１１〜１３，２０〜２２に対応する個別ＩＤ“０”を識別可能としているが、ベース基材１０上にアンテナ１１〜２２を全て設けておき、そのうち個別ＩＤを“０”とするアンテナのみに絶縁層を介して導電層を対向させる等、個別ＩＤを“０”とするアンテナからの反射波を受信できない状態とすることで、上記同様に、個別ＩＤ“１”と“０”とが混合してなるＩＤを識別可能とすることができる。
【００５９】
（第３の実施の形態）
図７は、本発明の識別体の第３の実施の形態を示す図であり、（ａ）は表面図、（ｂ）は（ａ）に示したＡ−Ａ’断面図、（ｃ）はベース基材１０の保護層３０ａとの積層面の構成を示す図である。
【００６０】
本形態における識別体は図７に示すように、図３に示したＩＤタグ１０１の表裏に、印刷受理層５０ａ，５０ｂおよび印刷層６０ａ，６０ｂがそれぞれ積層されたＩＤタグ２０１である。
【００６１】
本形態のＩＤタグ２０１は、保護層３０ａのベース基材１０とは反対側の面の全面に印刷受理層５０ａが積層された後、所定の情報が印刷されることで印刷層６０ａが積層され、また、保護層３０ｂのグランドパターン４０とは反対側の面の全面に印刷受理層５０ｂが積層された後、所定の情報が印刷されることで印刷層６０ｂが積層されている。これにより、表面に情報や模様等が表示されたカードとして利用することができる。
【００６２】
なお、本形態においては、図３に示したＩＤタグ１０１の表裏に、印刷受理層５０ａ，５０ｂおよび印刷層６０ａ，６０ｂがそれぞれ積層されたＩＤタグ２０１を例に挙げて説明したが、図３に示したＩＤタグ１０１の保護層３０ａ上に印刷受理層５０ａおよび印刷層６０ａが積層された構成とするだけでも、表面に情報や模様等が表示されたカードとして利用することができる。
【００６３】
（第４の実施の形態）
図８は、本発明の識別体の第４の実施の形態を示す図であり、（ａ）は表面図、（ｂ）は（ａ）に示したＡ−Ａ’断面図、（ｃ）は（ａ）に示したＢ−Ｂ’断面図、（ｄ）は裏面図である。図９は、図８に示したＩＤタグ４０１の内部構造を示す図であり、（ａ）はベース基材１０ａの保護層３０ａとの積層面の構成を示す図、（ｂ）はベース基材１０ｂの保護層３０ｂとの積層面の構成を示す図である。
【００６４】
本形態における識別体は図８および図９に示すように、図３に示したものに対して、グランドパターン４０の表裏のそれぞれに、ベース基材１０ａ，１０ｂ、アンテナ１１〜２２，７１〜８２および保護層３０ａ，３０ｂが設けられている点が異なるＩＤタグ４０１である。
【００６５】
本形態のＩＤタグ４０１においては、グランドパターン４０の一方の面側に配置されたアンテナ１１〜２２と、グランドパターン４０の他方の面側に配置されたアンテナ７１〜８２とは、対応するアンテナどうしで形状が同一であることで共振周波数が互いに同一のものとなっている。具体的には、グランドパターン４０の一方の面側に配置されたアンテナ１１と、グランドパターン４０の他方の面側に配置されたアンテナ７１とは共振周波数が同一であり、グランドパターン４０の一方の面側に配置されたアンテナ１２と、グランドパターン４０の他方の面側に配置されたアンテナ７２とは共振周波数が同一であり、グランドパターン４０の一方の面側に配置されたアンテナ１３と、グランドパターン４０の他方の面側に配置されたアンテナ７３とは共振周波数が同一であり、グランドパターン４０の一方の面側に配置されたアンテナ１４と、グランドパターン４０の他方の面側に配置されたアンテナ７４とは共振周波数が同一であり、グランドパターン４０の一方の面側に配置されたアンテナ１５と、グランドパターン４０の他方の面側に配置されたアンテナ７５とは共振周波数が同一であり、グランドパターン４０の一方の面側に配置されたアンテナ１６と、グランドパターン４０の他方の面側に配置されたアンテナ７６とは共振周波数が同一であり、グランドパターン４０の一方の面側に配置されたアンテナ１７と、グランドパターン４０の他方の面側に配置されたアンテナ７７とは共振周波数が同一であり、グランドパターン４０の一方の面側に配置されたアンテナ１８と、グランドパターン４０の他方の面側に配置されたアンテナ７８とは共振周波数が同一であり、グランドパターン４０の一方の面側に配置されたアンテナ１９と、グランドパターン４０の他方の面側に配置されたアンテナ７９とは共振周波数が同一であり、グランドパターン４０の一方の面側に配置されたアンテナ２０と、グランドパターン４０の他方の面側に配置されたアンテナ８０とは共振周波数が同一であり、グランドパターン４０の一方の面側に配置されたアンテナ２１と、グランドパターン４０の他方の面側に配置されたアンテナ８１とは共振周波数が同一であり、グランドパターン４０の一方の面側に配置されたアンテナ２２と、グランドパターン４０の他方の面側に配置されたアンテナ８２とは共振周波数が同一である。
【００６６】
このように構成されたＩＤタグ２０１においては、アンテナ１１〜２２が設けられた側から電波を照射してその反射波を受信した場合は、図３に示したものと同様に、ＩＤ“１１１１１１１１１１１１”が識別され、アンテナ７１〜８２が設けられた側から電波を照射してその反射波を受信した場合も、ＩＤ“１１１１１１１１１１１１”が識別されることになる。その際、本形態においても、アンテナ１１〜２２，７１〜８２のそれぞれが、アンテナ１１〜２２，７１〜８２の２つの端部間の中間点から２つの端部にそれぞれ向かう直線状の２つのアンテナ成分からなり、２つのアンテナ成分が中間点にて互いに直交して構成されているため、アンテナ１１〜２２，７１〜８２を構成する２つのアンテナ成分のうち一方と偏波方向が同じ電波を照射し、他方のアンテナ成分と同じ偏波方向で反射波を受信することで、グランドパターン４０の影響を受けずにアンテナ１１〜２２，７１〜８２による反射波のみを受信することができ、それにより、反射波による共振ピークを確実に検出することができる。
【００６７】
このように本形態においては、グランドパターン４０の表裏のそれぞれに、ベース基材１０ａ，１０ｂ、アンテナ１１〜２２，７１〜８２および保護層３０ａ，３０ｂが設けられていることで、ＩＤタグ４０１の表裏のいずれからも独立してＩＤを識別することができ、ＩＤタグ４０１の一方の面に手等の誘電体が接触している場合でも、他方の面からＩＤを正確に識別することができる。
【００６８】
なお、本形態においては、グランドパターン４０の表裏のそれぞれにアンテナ１１〜２２，７１〜８２が設けられていることで、ＩＤタグ４０１の表裏のいずれからも独立してＩＤを識別することができ、ＩＤタグ４０１の一方の面に手等の誘電体が接触している場合でも、他方の面からＩＤを正確に識別することができるが、グランドパターン４０の表裏にてアンテナの有無を独立して設定することで、ＩＤタグ４０１の一方の面側から電波を照射してその反射波を受信した場合と、ＩＤタグ４０１の他方の面側から電波を照射してその反射波を受信した場合とで、異なるＩＤを識別可能とすることができる。
【００６９】
図１０は、本発明の識別体に適用可能なアンテナの他の形状を示す図である。
【００７０】
上述した実施の形態においては、アンテナとして、アンテナの２つの端部間の中間点から２つの端部にそれぞれ向かう直線状の２つのアンテナ成分からなり、２つのアンテナ成分が中間点にて互いに直交して構成されているものを例に挙げて説明したが、本発明の識別体に適用可能なアンテナとしては、アンテナの２つの端部間の中間点から２つの端部に向かい、Ｘ方向およびＹ方向のベクトル成分の大きさが互いに異なる２つのアンテナ成分からなるものであればよい。
【００７１】
例えば、図１０（ａ）に示すように、アンテナ５１１の２つの端部５１１ｄ，５１１ｅ間の中間点５１１ｃから２つの端部５１１ｄ，５１１ｅにそれぞれ向かう直線状の２つのアンテナ成分５１１ａ，５１１ｂからなり、２つのアンテナ成分５１１ａ，５１１ｂが中間点５１１ｃにて鋭角をなして交わっているものや、図１０（ｂ）に示すように、１／４円弧状のアンテナ６１１であって、その２つの端部６１１ｄ，６１１ｅ間の中間点６１１ｃから２つの端部６１１ｄ，６１１ｅにそれぞれ向かう２つのアンテナ成分６１１ａ，６１１ｂからなるものであってもよい。
【符号の説明】
【００７２】
１，１０１，２０１，３０１，４０１    ＩＤタグ
１０，１０ａ，１０ｂ    ベース基材
１１〜２２，７１〜８２，５１１，６１１    アンテナ
１１ａ，１１ｂ，５１１ａ，５１１ｂ，６１１ａ，６１１ｂ    アンテナ成分
１１ｃ，５１１ｃ，６１１ｃ    中間点
１１ｄ，１１ｅ，５１１ｄ，５１１ｅ，６１１ｄ，６１１ｅ    端部
３０ａ，３０ｂ    保護層
４０    グランドパターン
５０ａ，５０ｂ    印刷受理層
６０ａ，６０ｂ    印刷層
【図１】
2019061516.tif 000003
【図２】
2019061516.tif 000004
【図３】
2019061516.tif 000005
【図４】
2019061516.tif 000006
【図５】
2019061516.tif 000007
【図６】
2019061516.tif 000008
【図７】
2019061516.tif 000009
【図８】
2019061516.tif 000010
【図９】
2019061516.tif 000011
【図１０】
2019061516.tif 000012
【図１１】
2019061516.tif 000013
【図１２】
2019061516.tif 000014